(57)【要約】【課題】取り付けた後に導光部材が安定し、且つ十分な表示を行うことが可能な回転摘みを提供することを課題とする。【解決手段】本発明は、筒状周壁部２０にスリットＳが設けられた摘み本体１１と、スリットＳ内に嵌まり、表面が発光する発光部３３を有する導光部材３０と、本体基部１２と共に摘み本体１１と導光部材３０との相対移動を阻止する押え部材５０とを備え、発光部３３は、スリットＳ内に嵌り込み、スリットＳの全長に亘って外部に露出する露出面３４ａを有する表示部３４と、これよりも径方向内側に位置し、スリットＳの幅方向の両外側に突出した部分を含む被挟持部３５とを有し、周壁部２０は、スリットＳを規定する一対のスリット周縁部２１と、各スリット周縁部２１の径方向内側に設けられ、スリット周縁部２１と共に径方向の両側から被挟持部３５を挟み込む保持部２２とを有することを特徴とする。【選択図】図１
2010225441.tif 000002
【特許請求の範囲】
【請求項１】
パネルを内側から貫通し且つ回動可能に配設される回転摘みであって、
前記回転摘みが配設されたときにパネルの内側に位置する本体基部とこの本体基部から先端側に延びる筒状の周壁部とを有し、この周壁部の周方向における特定の位置に先端から前記本体基部まで延びるスリットが設けられた摘み本体と、
光の入射面を有する入射部とこの入射部から前記スリット内に嵌まり込むように当該スリットに沿って延び前記入射面から入射部内に光が入射することによりその表面が発光する発光部とを有する導光部材と、
前記発光部が前記スリット内に嵌まり込んだ状態で前記導光部材の入射部の一部を前記本体基部と共に前記入射面を覆うことなく前記スリットの延びる方向に沿って挟み込むことにより、前記摘み本体と前記導光部材との前記スリットの延びる方向に沿った相対移動を阻止する押え部材とを備え、
前記発光部は、前記スリット内に嵌まり込み、前記スリットの全長に亘って前記摘み本体の外部に露出する露出面を有する表示部と、この表示部よりも前記周壁部の径方向における内側に位置し、当該表示部よりも前記スリットの幅方向の両外側に突出した部分を含む被挟持部とを有し、
前記周壁部は、互いに対向することによりその間に前記スリットを規定する一対のスリット周縁部と、各スリット周縁部の前記径方向内側に設けられ、当該スリット周縁部と共に前記径方向の両側から前記被挟持部を挟み込む保持部とを有することを特徴とする回転摘み。
【請求項２】
請求項１に記載の回転摘みにおいて、
前記周壁部は、前記スリットを跨いで保持部同士をつなぐ補強部を有し、この補強部は、前記回転摘みが前記パネルに配設されたときに、このパネルの前面よりも奥に位置するような領域にのみ形成されることを特徴とする回転摘み。
【請求項３】
請求項２に記載の回転摘みにおいて、
前記発光部よりも前記径方向内側の位置で且つ前記補強部よりも先端側の位置に、当該スリット内に前記表示部が嵌まり込んだ状態の発光部と対向してこの発光部からの光を反射する反射面を有する反射部材をさらに備えることを特徴とする回転摘み。
【請求項４】
請求項１乃至３の何れか１項に記載の回転摘みにおいて、
前記本体基部における周壁部と反対側の端面の前記スリットと対応する位置に、前記表示部が前記スリット内に嵌まり込むと共に前記被挟持部が各スリット周縁部とこのスリット周縁部に対応する保持部との間にそれぞれ嵌まり込むように当該発光部をスリットの延びる方向に沿って挿通可能で、且つ前記摘み本体に前記導光部材が取り付けられた状態の前記発光部の外周面に対応する形状の内周面により規定される貫通孔が設けられ、
前記導光部材の入射部には、当該入射部の周囲から前記径方向外側に向かって拡がる鍔部が設けられ、この鍔部の先端側の面は、前記本体基部の端面における前記貫通孔周縁部に沿った形状を有し、
前記押さえ部材は、前記鍔部を前記本体基部の端面に向けて押さえつけるように前記本体基部とで挟み込むことを特徴とする回転摘み。
【発明の詳細な説明】
【技術分野】
【０００１】
本発明は、車室内の操作パネル等に回動可能に配設される回転摘みに関する。
【背景技術】
【０００２】
従来から回転摘みとして特許文献１に記載のものが知られている。この回転摘みは、摘み本体の一部に発光部を設け、当該発光部の位置を見ることにより回転摘みの回転量を把握し易くしたものである。
【０００３】
具体的には、図９に示されるように、回転摘み１００は、操作者等が摘んで回転操作する摘み本体１０１と、発光部を構成する導光部材１０２とを備える。摘み本体１０１は、円柱形の外観を有し、先端面１０１ａから周面１０１ｂにかけて切欠き部１０３が設けられている。導光部材１０２は、内部に光が入射するとこの光が拡散されて表面が発光する素材で形成され、摘み本体１０１の切欠き部１０３に嵌入可能な外観を有する。
【０００４】
このような回転摘み１００は機器の操作パネル等に回動可能に配設され、操作パネル内側の光源等によって導光部材１０２に光が照射されることにより回転摘み１００の発光部（導光部材１０２）が発光する。
【先行技術文献】
【特許文献】
【０００５】
【特許文献１】実開昭６２−３０１８９号公報
【発明の概要】
【発明が解決しようとする課題】
【０００６】
回転摘みが配設される機器によっては、中空構造のもの、即ち、その摘み本体が薄肉の円筒状であるものが求められる場合がある。このような回転摘みでは、摘み本体が薄肉の円筒状であることから、この摘み本体に取り付けられる導光部材の厚さ（即ち、径方向の寸法）も小さくする必要がある。かかる薄肉の導光部材を同じく薄肉の摘み本体に対して安定して取り付けることは難しく、その安定性の確保が重要な課題となる。
【０００７】
そこで、本発明は、上記問題点に鑑み、取り付けた後に導光部材が安定し、且つ十分な表示を行うことが可能な回転摘みを提供することを課題とする。
【課題を解決するための手段】
【０００８】
そこで、上記課題を解消すべく、本発明は、パネルを内側から貫通し且つ回動可能に配設される回転摘みであって、前記回転摘みが配設されたときにパネルの内側に位置する本体基部とこの本体基部から先端側に延びる筒状の周壁部とを有し、この周壁部の周方向における特定の位置に先端から前記本体基部まで延びるスリットが設けられた摘み本体と、光の入射面を有する入射部とこの入射部から前記スリット内に嵌まり込むように当該スリットに沿って延び前記入射面から入射部内に光が入射することによりその表面が発光する発光部とを有する導光部材と、前記発光部が前記スリット内に嵌まり込んだ状態で前記導光部材の入射部の一部を前記本体基部と共に前記入射面を覆うことなく前記スリットの延びる方向に沿って挟み込むことにより、前記摘み本体と前記導光部材との前記スリットの延びる方向に沿った相対移動を阻止する押え部材とを備え、前記発光部は、前記スリット内に嵌まり込み、前記スリットの全長に亘って前記摘み本体の外部に露出する露出面を有する表示部と、この表示部よりも前記周壁部の径方向における内側に位置し、当該表示部よりも前記スリットの幅方向の両外側に突出した部分を含む被挟持部とを有し、前記周壁部は、互いに対向することによりその間に前記スリットを規定する一対のスリット周縁部と、各スリット周縁部の前記径方向内側に設けられ、当該スリット周縁部と共に前記径方向の両側から前記被挟持部を挟み込む保持部とを有することを特徴とする。
【０００９】
かかる構成によれば、摘み本体の周壁部が薄肉であっても導光部材を摘み本体に取り付けた後に導光部材が安定し、且つ十分な表示を行うことができる。
【００１０】
即ち、前記周壁部及びこれに取り付けられる導光部材が薄肉であっても、摘み本体の一対のスリット周縁部を利用して前記導光部材に形成された表示部をスリットの幅方向から挟み込むと共に導光部材に形成された被挟持部を径方向から挟み込むことにより、摘み本体に対して導光部材を安定した状態で取り付けることができる。
【００１１】
具体的には、一対のスリット周縁部により表示部をスリットの幅方向の両外側から挟み込むと共に各スリット周縁部とその径方向内側に位置する保持部とにより被挟持部を前記径方向の両側から挟み込むことにより、発光部のスリットの幅方向及び前記径方向のぐらつきを効果的に阻止することができる。そして、この状態で本体基部と押え部材とにより入射部の一部をスリットの延びる方向に沿って挟み込むことによって本体基部に対する入射部のスリットの延びる方向への移動が規制され、これにより摘み本体と導光部材とのスリットの延びる方向に沿った相対移動が阻止され、摘み本体に対して導光部材が安定する。しかも、被挟持部の挟持はスリット周縁部の裏側にてなされており、回転摘みをパネルに配設したときにパネル前面から突出する摘み本体の周壁部の部位において、発光部の表示部の露出面はスリットの全長に亘って外部に露出することが可能であるため、前記の安定した発光部の保持を行いながらも、入射面から光を入射させてこの露出面全体を発光させることにより十分な表示を行うことができる。
【００１２】
本発明に係る回転摘みにおいては、前記周壁部は、前記スリットを跨いで保持部同士をつなぐ補強部を有し、この補強部は、前記回転摘みが前記パネルに配設されたときに、このパネルの前面よりも奥に位置するような領域にのみ形成されるのが好ましい。
【００１３】
かかる構成によれば、スリットを跨ぐように保持部同士をつなぐ補強部が設けられることにより、周壁部にスリットが設けられている摘み本体を効果的に補強することができる。しかも、前記回転摘みを前記パネルを内側から貫通するように配設したときに、前記補強部がパネルの前面よりも奥に位置する領域にのみ形成されることにより、表示部の露出面を発光させたときに、補強部の存在がパネル表側での前記発光に影響を与え難い。
【００１４】
前記発光部よりも前記径方向内側の位置で且つ前記補強部よりも先端側の位置に、当該スリット内に前記表示部が嵌まり込んだ状態の発光部と対向してこの発光部からの光を反射する反射面を有する反射部材をさらに備えるのがより好ましい。
【００１５】
かかる構成によれば、回転摘みがパネルに配設されたときにパネルから突出した部位において、入射面から内部に入射した光が発光部から周壁部の径方向内側に出ようとしたときに対向する反射部材の反射面によって反射されて径方向外側に向うため、露出面がより明るくなり、より十分な表示が可能となる。
【００１６】
前記本体基部における周壁部と反対側の端面の前記スリットと対応する位置に、前記表示部が前記スリット内に嵌まり込むと共に前記被挟持部が各スリット周縁部とこのスリット周縁部に対応する保持部との間にそれぞれ嵌まり込むように当該発光部をスリットの延びる方向に沿って挿通可能で、且つ前記摘み本体に前記導光部材が取り付けられた状態の前記発光部の外周面に対応する形状の内周面により規定される貫通孔が設けられ、前記導光部材の入射部には、当該入射部の周囲から前記径方向外側に向かって拡がる鍔部が設けられ、この鍔部の先端側の面は、前記本体基部の端面における前記貫通孔周縁部に沿った形状を有し、前記押さえ部材は、前記鍔部を前記本体基部の端面に向けて押さえつけるように前記本体基部とで挟み込むのが好ましい。
【００１７】
かかる構成によれば、摘み本体に導光部材が取り付けられたときに、導光部材の鍔部が前記本体基部の端面に押さえつけられることで、鍔部の先端側の面と前記本体基部の端面の貫通孔周縁部とが面接触するため、摘み本体に対して導光部材がより安定する。即ち、発光部が延びる方向と直交若しくは略直交する方向に拡がる鍔部が前記貫通孔の周方向全体に亘って前記本体基部の端面と面接触した状態で押さえつけられることで、発光部先端側のぐらつきがより抑制される。
【発明の効果】
【００１８】
以上より、本発明によれば、取り付けた後に導光部材が安定し、且つ十分な表示を行うことが可能な回転摘みを提供することができる。
【図面の簡単な説明】
【００１９】
【図１】本実施形態に係る回転摘みの分解斜視図である。
【図２】前記回転摘みの平面図である。
【図３】前記回転摘みの摘み本体であって、（ａ）は図１のＡ−Ａ端面図であり、（ｂ）は図１のＢ−Ｂ断面図である。
【図４】前記摘み本体の背面図である。
【図５】前記回転摘みにおける周壁部の係止用突起及び本体基部の係止用穴を通る直径に沿って切断した端面図である。
【図６】前記回転摘みのポインター（導光部材）であって、（ａ）は図１のＣ−Ｃ断面図であり、（ｂ）は側面図である。
【図７】前記回転つまみを操作パネルに配設した状態であって、（ａ）は正面図であり、（ｂ）は底面図である。
【図８】図７（ａ）のＤ−Ｄ拡大断面図である。
【図９】従来の回転摘みの分解斜視図である。
【発明を実施するための形態】
【００２０】
以下、本発明の一実施形態について、添付図面を参照しつつ説明する。
【００２１】
本実施形態に係る回転摘みは、図１及び図２に示されるように、操作者が摘まんで回転操作する摘み本体１１と、この摘み本体１１の表示部を構成するポインター（導光部材）３０と、摘み本体１１の先端側に取り付けられる反射部材４０と、摘み本体１１の後端側に取り付けられる押え部材５０とを備える。この回転摘み１０は、本実施形態では、その先端側が車室内の操作パネルＰを内側から貫通するように配設される（図７（ａ）乃至図８参照）。
【００２２】
摘み本体１１は、回転摘み１０が操作パネルＰに配設されたときに、操作パネルＰの内側に位置する本体基部１２と、この本体基部１２から先端側に延びる円筒状の周壁部２０とを有する。周壁部２０は、径方向の厚さが小さい（即ち、薄肉の）円筒状の部位であり、周方向における特定の位置に先端から本体基部１２まで延びるスリットＳが設けられる。このスリットＳは、周壁部２０の先端から本体基部１２までスリット幅が一定となるように真っ直ぐに延びている。周壁部２０は、図３（ａ）及び図３（ｂ）にも示されるように、互いに対向することによりその間にスリットＳを規定する一対のスリット周縁部２１と、各スリット周縁部２１の径方向の内側に設けられ、当該スリット周縁部２１と共に径方向の両側からポインター３０の被挟持部３５を挟み込む保持部２２とを有する。
【００２３】
保持部２２は、周壁部２０の内周面２５の各スリット周縁部２１近傍部位から図３（ａ）における下方に向けてそれぞれ突出し、その先端部が互いに接近する方向に折れ曲がっている。これらスリットＳを挟んで対向する保持部２２の先端同士は、補強部２３によってつながれている。即ち、補強部２３は、スリットＳを跨いで保持部２２同士をつないでいる。この補強部２３は、板状の部位であり、回転摘み１０が操作パネルＰに配設されたときに、この操作パネルＰの前面よりも奥に位置するような領域にのみ形成される（図８参照）。本実施形態においては、スリット周縁部２１と保持部２２と補強部２３とが一体成型されているが、これに限定されず、別々に形成された後に接続されてもよい。尚、本実施形態において、先端側とは、回転摘み１０を操作パネルＰに配設したときに操作パネルＰから突出する方向（図７（ｂ）では上側）のことをいい、径方向とは、摘み本体１１の周壁部２０における径方向のことをいう。
【００２４】
周壁部２０の外周面２４には、滑り止め加工が施されている。本実施形態では、ローレット加工が施されている。周壁部２０の内周面２５には、周壁部２０の中心軸Ｃ方向に沿って延びる複数の突条２５ａが設けられている。これら複数の突条２５ａは、図４にも示されるように、内周面２５に周方向に間隔をおいて設けられる。本実施形態では３本の突条２５ａが設けられている。また周壁部２０の内周面２５には、前記径方向の中心に向かって突出する複数の係止用突起２５ｂが設けられている。これら係止用突起２５ｂは、内周面２５の周方向において、間隔をおいて隣り合う突条２５ａ同士の間に設けられる。これら突条２５ａと係止用突起２５ｂとは、摘み本体１１に反射部材４０を取り付けるときに用いられる部位であり、突条２５ａは、反射部材４０が周壁部２０内に挿入されるときに当該反射部材４０の挿入方向をガイドする部位であり、係止用突起２５ｂは、摘み本体１１に反射部材４０を係止するための部位（図５参照）である。
【００２５】
本体基部１２は、前記のように回転摘み１０が操作パネルＰに配設されたときに操作パネルＰの内側に位置する部位であり、外径が周壁部２０よりも大きな部位である。具体的に、本体基部１２は、周壁部２０の後端（本体基部１２側の端部）から前記径方向に拡がる立ち上がり部１３と、この立ち上がり部１３の立ち上がり方向の先端、即ち、背面から見て（図４参照）環状の立ち上がり部１３の外周縁から後方側に延びる係止部１４とからなる。
【００２６】
立ち上がり部１３は、周壁部２０と反対側の端（即ち、後端）に中心軸Ｃと直交する面に沿った後端面部１３ａを有する。後端面部１３ａは、背面から見て環状の面部である。この後端面部１３ａには、周壁部２０のスリットＳと対応する位置にポインター挿入孔１５が開孔している。
【００２７】
ポインター挿入孔１５は、ポインター３０の発光部３３をスリットＳの延びる方向に沿って挿入可能で、且つ摘み本体１１にポインター３０が取り付けられた状態の発光部３３の外周面に対応する形状の内周面により規定される貫通孔である（図４及び図６（ａ）参照）。
【００２８】
係止部１４は、立ち上がり部１３の外周縁から後方に周壁部２０と平行に延びる短筒状の部位であり、押さえ部材５０が摘み本体１１に取り付けられるときにこの押え部材５０を係止する部位である。係止部１４には、周方向に沿って複数の切欠き１６が設けられている。これら複数の切欠き１６は、周方向において等間隔となるように設けられている。本実施形態では、４つの切欠き１６が設けられている。各切欠き１６は、係止部１４の後端から先端側に向かって切欠かれている。周方向においてスリットＳと対応する位置に設けられた切欠き１６ａは、他の３つの切欠き１６ｂに比べて幅広に切欠かれている。この幅広の切欠き１６ａの幅は、ポインター３０の鍔部３６（図５（ａ）参照）の幅に対応する幅である。また、係止部１４には、周方向に複数の係止用穴１７が設けられている。各係止用穴１７は、前記径方向に係止部１４を貫通する。各係止用穴１７は、係止部１４の周方向に等間隔に配置されている。具体的には、各係止用穴１７は、間隔をおいて隣り合う切欠き１６同士の間に設けられ、本実施形態では、４つの係止用穴１７が設けられている。
【００２９】
ポインター３０は、スリットＳに沿って延びる棒状の部材であり、前記径方向の厚さが周壁部２０と同程度の大きさ（薄肉）となっている。具体的に、ポインター３０は、図６（ａ）及び図６（ｂ）にも示されるように、光の入射面３１を有するポインター基部（入射部）３２と、このポインター基部３２からスリットＳ内に嵌まり込むように当該スリットＳに沿って延び入射面３１からポインター基部３２内に光が入射することによりその表面が発光する発光部３３とを備える。発光部３３は、スリットＳ内に嵌まり込み、スリットＳの全長に亘って摘み本体１１の外部に露出する露出面３４ａを有する表示部３４と、この表示部３４よりも前記径方向における内側に位置し、当該表示部３４よりもスリットＳの幅方向の両外側に突出した部分を含む被挟持部３５とを有する。尚、本実施形態では、ポインター３０が摘み本体１１に取り付けられた状態で、発光部３３の先端が周壁部２０の先端よりも突出する長さを有する。
【００３０】
表示部３４は、スリットＳに嵌まり込む、即ち、周壁部２０の一対のスリット周縁部２１間に嵌まり込む部位であり、ポインター基部３２に光が入射することにより発光する露出面３４ａを前記径方向外側に有する。本実施形態では、断面が矩形状であり、前記径方向の外側端部（図６（ａ）において上端）に露出面３４ａが形成される。この露出面３４ａは、表示部３４がスリットＳ内に嵌め込まれた状態で摘み本体１１の周壁部２０の外周面２４と面一につながるような形状である（図７（ａ）参照）。この露出面３４ａの先端部は、下方に向かって傾斜している。この傾斜部は、反射部材４０先端の面取り部４２（図１参照）の形状と対応する角度で傾斜している。このように露出面３４ａの先端部が傾斜することにより、回転摘み１０の正面から露出面３４ａの位置が視認し易くなる（図７（ａ）参照）。
【００３１】
被挟持部３５は、表示部３４の前記径方向内側に位置し、表示部３４に沿って設けられる部位である。具体的には、被挟持部３５は、表示部３４の前記径方向内側に位置してスリットＳの幅方向（図６（ａ）においては左右方向）に広がる部位である。この被挟持部３５は、発光部３３におけるポインター基部３２側の部位に設けられており、本実施形態では、発光部３３の長さ方向の略中央からポインター基部まで形成されている。詳しくは、被挟持部３５における表示部３４よりもスリットＳの幅方向に突出している部位は、前記略中央からポインター基部３２まで厚さが一定の連続した板状に形成されている。即ち、被挟持部３５のスリットＳの幅方向に突出した部位は、ポインター３０が摘み本体１１に取り付けられた状態で、周壁部２０の各スリット周縁部２１とこのスリット周縁部２１に対応する保持部２２との間に形成される空間（図３（ａ）参照）内に位置し、この空間と対応する形状を有する。尚、被挟持部３５の前記スリットＳの幅方向に突出している部位は、スリットＳの延びる方向において連続である必要はなく、断続的に並んでいてもよい。
【００３２】
ポインター基部３２は、発光部３３の後端側に設けられ、入射面３１と鍔部３６とを有する。このポインター基部３２は、発光部３３と一体に形成されている。入射面３１は、ポインター基部３２の後端に設けられ、スリットＳの延びる方向と直交する面である。鍔部３６は、ポインター基部３２の周囲から前記径方向外側に向かって拡がる部位である。この鍔部３６の先端側の面３６ａは、本体基部１２の後端面部１３ａにおけるポインター挿入孔１５の周縁部に沿った形状を有している。具体的に、鍔部３６は、正面から見て輪郭が矩形状となる板状体であり、先端側の面３６ａは、スリットＳの延びる方向と直交する平面である。また、反対側の面３６ｂもスリットＳの延びる方向と直交する平面である。
【００３３】
以上のように構成されるポインター３０は、先端側から本体基部１２のポインター挿入孔１５に挿入することにより、摘み本体１１に取り付けられる。詳しくは、鍔部３６の先端側の面３６ａが本体基部１２の後端面部１３ａに接するまで挿入する。そうすると、発光部３３のポインター基部３２側の端部がポインター挿入孔１５内に位置し、被挟持部３５のスリット幅方向の両外側にそれぞれ突出した部位が各スリット周縁部２１とこのスリット周縁部２１に対応する保持部２２との間に挟まれた状態となると共に、表示部３４が一対のスリット周縁部２１間、即ち、スリットＳ内に嵌まり込んだ状態となる（図２、図７（ａ）及び図７（ｂ）参照）。このとき、ポインター基部３２の鍔部３６の先端側の面３６ａが全面、本体基部１２の後端面部１３ａにおけるポインター挿入孔１５周縁部に面接触した状態となっている。また、鍔部３６の前記径方向外側の端部が本体基部１２の係止部１４の幅広のスリット１６ａ内に嵌まり込んだ状態で鍔部３６の先端側の面３６ａと本体基部１２の後端面部１３ａとが面接触している（図２及び図７参照）。
【００３４】
反射部材４０は、円筒状の部材であり、先端部を残して摘み本体の周壁部２０内に嵌まり込む（図５参照）。この反射部材４０は、反射面４１を有する。具体的には、反射部材４０は、先端の面取り部４２と、その後方側に延びて周壁部２０内に嵌入される円筒状の第１嵌入部４３とからなり、当該第１嵌入部４３に反射面４１が設けられている。面取り部４２は、周壁部２０の先端側に位置し、周壁部２０の先端から前方へ進むに従って前記径方向内側に向う傾斜面４２ａを有する。周壁部２０のスリットＳと対応する位置には切欠き４４が設けられている。この切欠き４４は、ポインター３０の先端部、即ち、発光部３３の先端部が嵌まり込むような間隔を有している。この切欠き４４に周壁部２０から突出した発光部３３の先端が嵌まり込む。このとき、発光部３３の露出面３４ａの先端部の傾斜面と、面取り部４２の傾斜面４２ａとが同じ傾斜角を有し、滑らかにつながる（図７（ｂ）参照）。この面取り部４２が囲う開口４４には、回転摘み１０を操作パネルＰに配設するときに、この開口４４を塞ぐように蓋部材Ｆ（図７（ａ）乃至図８参照）が嵌め込まれる。
【００３５】
第１嵌入部４３は、周壁部２０の内周面２５の内径と対応する外径の外周面４５を有し（図５参照）、中心軸Ｃ方向の長さが、周壁部２０の補強部２３の先端部と当接し若しくは僅かに隙間が形成されるような大きさを有する。この外周面４５におけるスリットＳと対応する位置に、反射面４１が設けられる。反射面４１は、発光部３３よりも前記径方向内側の位置で且つ補強部２３よりも先端側の位置に、発光部３３と対向してこの発光部３３からの光を反射するための面である。本実施形態では、光を反射し易いように、反射面４１を含む反射部材４０の表面全体にクロムメッキが施されている。
【００３６】
第１嵌入部４３には、周壁部２０の内周面２５に設けられた突条２５ａと対応する位置に、当該突条２５ａに沿った切欠き４６が設けられている。この切欠き４６は、第１嵌入部４３を周壁部２０内に挿入（嵌入）したときに周壁部２０の内周面２５に設けられた突条２５ａがこの切欠き４６に入ることにより、反射部材４０が突条２５ａに沿って真っ直ぐ後端側に案内される。
【００３７】
また、第１嵌入部４３には、周壁部２０の内周面２５に設けられた係止用突起２５ｂと対応する位置に、係止用穴４７が設けられている。この係止用穴４７は、前記径方向に貫通する穴であり、その周方向両側には、後端から先端側に向って係止用切欠き４７ａが設けられている。この係止用切欠き４７ａにより、係止用穴４７の周縁部が後端を自由端とする舌片部４８を構成する。これにより、第１嵌入部４３が周壁部２０内に挿入されたときに、舌片部４８の後端側端部が前記径方向内側に撓んで係止用突起２５ｂを通過し、その後、舌片部４８が初期位置に復帰することにより、反射部材４０の係止用穴４７に周壁部２０の係止用突起２５ｂが係止される（図５参照）。これにより反射部材４０が摘み本体１１に係止される。
【００３８】
押え部材５０は、ポインター基部３２の一部を本体基部１２と共にスリットＳの延びる方向に沿って挟み込むことにより、摘み本体１１とポインター３０とのスリットＳの延びる方向に沿った相対移動を阻止する部材である。具体的に、押さえ部材５０は、図２及び図８に示すように、ポインター基部３２の鍔部３６を本体基部１２の後端面部１３ａに向けて押さえつけるように本体基部１２とで挟み込む。このとき、押え部材５０は、ポインター基部３２の入射面３１を覆うことなく鍔部３６を本体基部１２に押さえつける。
【００３９】
具体的に、押え部材５０は、短筒状の部材であり、先端側に設けられ本体基部１２の係止部１４内に嵌入可能な第２嵌入部５１と、ポインター３０の鍔部３６を本体基部１２と共に挟み込む押え部５２とを有する。第２嵌入部５１は、本体基部１２の係止部１４の内周面の内径と対応する外径の外周面を有する。第２嵌入部５１の外周面には、本体基部１２の係止部１４に設けられた幅狭の切欠き部１６ｂに対応する位置に、この切欠き部１６ｂに沿って延びる突条５３が設けられている。この突条５３は、第２嵌入部５１を係止部１４内に挿入（嵌入）したときに、係止部１４の切欠き１６ｂに入ることにより、押え部材５０が摘み本体１１に対して相対回転することなく真っ直ぐに案内される。
【００４０】
また、第２嵌入部５１の外周面には、本体基部１２の係止部１４の係止用穴１７と対応する位置に、前記径方向外側に突出する係止用突起５４が設けられている。この係止用突起５４の周方向両側には、先端から後方側に向って係止用切欠き５４ａが設けられている。この係止用切欠き５４ａにより、係止用突起５４の周縁部が先端側の端部を自由端とする舌片部５５を構成する。これにより、第２嵌入部５１が本体基部１２の円筒状の係止部１４内に嵌入されたときに、舌片部５５の先端側の端部が当該舌片部５５の係止用突起５４が係止部１４の内周面に当接することにより前記径方向内側に撓み、舌片部５５の係止用突起５４が係止部１４の係止用穴１７に到達すると、舌片部５５が初期位置に復帰する。これにより係止部１４の係止用穴１７に押え部材５０の係止用突起５４が係止する（図２及び図５参照）。その結果、押え部材５０が摘み本体１１に係止される。
【００４１】
押え部５２は、ポインター３０のポインター基部３２に対応する位置に設けられている。この押え部５２は、本体基部１２の後端面部１３ａから後方側に突出するポインター基部３２を周方向から囲むように構成されている。具体的に、押え部５２は、ポインター基部３２の周囲を囲む筒状に形成され、先端には、本体基部１２、詳細には、後端面部１３ａにおけるポインター挿入孔１５の周縁部との間にポインター３０の鍔部３６を挟み込む押え面５２ａを有する。
【００４２】
この押え面５２ａは、中心軸Ｃと直交し且つ枠形状の面であり、ポインター基部３２を囲んだ状態で鍔部３６を後端面部１３ａに押し付けるように挟み込む。より詳細には、押え部材５０の第２嵌入部５１を本体基部１２の係止部１４内に嵌入し、第２嵌入部５１の係止用突起５４を本体基部１２の係止部１４の係止用穴１７に係合させたときに、後端面部１３ａにおけるポインター挿入孔１５の周縁部と押え面５２ａとにより、鍔部３６が前後から隙間無く挟み込まれる（図２及び図８参照）。
【００４３】
このとき、押え部５２は、前後方向に貫通した筒状に形成されているため、ポインター３０の後端、即ち、ポインター基部３２の入射面３１は、押え部５２により覆われることなく開放された状態となっている（図８参照）。
【００４４】
このように構成される回転摘み１０は、図７（ａ）及び図７（ｂ）に示されるように、車室内の操作パネルＰに設けられた穴から周壁部２０の先端側が突出するように配設される。このとき、図８にも示されるように、反射部材４０の開口４４には蓋部材Ｆが嵌め込まれ、中空の回転摘み１０の内部には回転軸Ｇが挿入され、この回転軸Ｇを回転中心にして回転摘み１０が回動する。このとき、ポインター基部３２の後端に位置する入射面３１と対向するように光源Ｌが配設される。この光源Ｌは回転摘み１０が回転操作されたときに、入射面３１と共に回転移動し、常に入射面３１と対向するような位置に取り付けられている。即ち、光源Ｌは、回転摘み１０が回動しても、常に、入射面３１に向けて光を発するように配設されている。この光源Ｌからの光が入射面３１からポインター基部３２内に入射することにより、この光がポインター３０の内部で拡散され、これにより発光部３３において露出面３４ａが発光する。
【００４５】
以上の回転摘み１０によれば、摘み本体１１の周壁部２０が薄肉であってもポインター３０を摘み本体１１に取り付けた後に当該ポインター３０が安定し、且つ十分な表示を行うことができる。
【００４６】
即ち、周壁部２０及びこれに取り付けられるポインター３０が薄肉であっても、摘み本体１１の一対のスリット周縁部２１を利用してポインター３０に形成された表示部３４をスリットＳの幅方向から挟み込むと共にポインター３０に形成された被挟持部３５を前記径方向から挟み込むことにより、摘み本体１１に対してポインター３０を安定した状態で取り付けることができる。
【００４７】
具体的には、一対のスリット周縁部２１により表示部３４をスリットＳの幅方向の両外側から挟み込むと共に各スリット周縁部２１とその径方向内側に位置する保持部２２とにより被挟持部３５を前記径方向の両側から挟み込むことにより、発光部３３のスリットＳの幅方向及び前記径方向のぐらつきを効果的に阻止することができる。そして、この状態で本体基部１２と押え部材５０とによりポインター基部３２の鍔部３６をスリットＳの延びる方向に沿って挟み込むことによって（図２参照）本体基部１２に対するポインター基部３２のスリットＳの延びる方向への移動が規制され、これにより摘み本体１１とポインター３０とのスリットＳの延びる方向に沿った相対移動が阻止され、摘み本体１１に対してポインター３０が安定する。しかも、被挟持部３５の挟持はスリット周縁部２１の裏側にてなされており、回転摘み１０を操作パネルＰに配設したときに操作パネルＰの前面から突出する摘み本体１１の周壁部２０の部位において、発光部３３の表示部３４の露出面３４ａはスリットＳの全長に亘って外部に露出することが可能であるため（図７（ｂ）参照）、前記の安定した発光部３３の保持を行いながらも、入射面３１から光を入射させてこの露出面３４ａ全体を発光させることにより十分な表示を行うことができる。
【００４８】
また、この実施形態においては、スリットＳを跨ぐように保持部２２同士をつなぐ補強部２３が設けられることにより、周壁部２０にスリットＳが設けられている摘み本体を効果的に補強することができる。しかも、回転摘み１０を操作パネルＰを内側から貫通するように配設したときに、補強部２３が操作パネルＰの前面よりも奥に位置する領域にのみ形成されることにより、表示部３４の露出面３４ａを発光させたときに、補強部２３の存在がパネル表側での発光に影響を与え難い。即ち、発光部３３の前記径方向内側位置の状態、即ち、補強部２３のある部位とない部位とでの光の反射率の差に基づく露出面３４ａでの発光むらが生じても、この発光むらの生じる部位が操作パネルＰよりも内側となり、前記発光むら等が操作パネルＰの表側に現れるのを防止することができる。
【００４９】
また、反射部材４０が発光部３３よりも前記径方向内側の位置で且つ補強部２３よりも先端側の位置に配置されることにより、回転摘み１０が操作パネルＰに配設されたときに当該操作パネルＰから突出した部位において、入射面３１から内部に入射した光が発光部３３から前記径方向内側に出ようとしたときに、対向する反射部材４０の反射面４１によって反射されて前記径方向外側に向うため、露出面３４ａがより明るくなり、より十分な表示が可能となる。
【００５０】
摘み本体１１にポインター３０が取り付けられたときに、ポインター３０の鍔部３６が本体基部１２の後端面部１３ａに押さえつけられることで、鍔部３６の先端側の面３６ａと後端面部１３ａにおけるポインター挿入孔１５の周縁部とが面接触するため、摘み本体１１に対してポインター３０がより安定する。即ち、発光部３３が延びる方向と直交若しくは略直交する方向に拡がる鍔部３６がポインター挿入孔１５の周方向全体に亘って後端面部１３ａと面接触した状態で押さえつけられることで、発光部３３先端側のぐらつきがより抑制される。
【００５１】
尚、本発明の回転摘み１０は、上記実施形態に限定されるものではなく、本発明の要旨を逸脱しない範囲内において種々変更を加え得ることは勿論である。
【００５２】
上記実施形態では、周壁部２０は、中心軸Ｃ方向の各位置において直径が一定の円筒状に形成されているが、これに限定されず、先端に向って直径の小さくなる円錐台の周面のような形状の周壁であってもよい。また、周壁部２０は、円筒状である必要もなく、多角形の筒状であってもよい。
【００５３】
また、上記実施形態では、周壁部２０の外周面２４と面一になるようにポインター３０の表示部３４の露出面３４ａが形成されているが、これに限定されず、露出面３４ａの幅方向中央が膨出することによりスリットＳに沿った突条が形成されてもよく、また、前記幅方向中央が窪んだ溝状であってもよい。このような形状であっても、操作パネルＰの前面より突出した周壁部２０の部位において、スリットＳの全長に亘って露出面３４ａが発光することにより、十分な表示を行うことができる。
【符号の説明】
【００５４】
１０   回転摘み
１１   摘み本体
１２   本体基部
２０   周壁部
２１   スリット周縁部
２２   保持部
２３   補強部
３０   ポインター（導光部材）
３１   入射面
３２   ポインター基部（入射部）
３３   発光部
３４   表示部
３４ａ 露出面
３５   被挟持部
３６   鍔部
Ｐ     操作パネル（パネル）
Ｓ     スリット
【図１】
2010225441.tif 000003
【図２】
2010225441.tif 000004
【図３】
2010225441.tif 000005
【図４】
2010225441.tif 000006
【図５】
2010225441.tif 000007
【図６】
2010225441.tif 000008
【図７】
2010225441.tif 000009
【図８】
2010225441.tif 000010
【図９】
2010225441.tif 000011